(57)【要約】【課題】セッション毎の優先サービスの実施、端末間でのＴＯＳフィールドの優先度を用いた制御、通信網の機能負担の軽減化を図る。【解決手段】パケット送信端末１１はパケット転送処理の優先度を通信開始時に所定の標準値に設定し、所定の時間の経過までの間に通信品質が劣化した場合、優先度を下げ、劣化が見られない場合、優先度を上げ、優先度を下げてから所定の時間経過後、優先度を所定の標準値に戻し、エッジノード２１は受信パケットのＴＯＳフィールドの値を監視し、優先度が最も高い値になった場合、その旨を信号制御サーバに通知するとともに最も高い値の優先度を維持し、信号制御サーバ４１はエッジノード２１からの優先度が最も高い値になった旨の通知を受信して、パケット送信端末に対する課金を開始する。【選択図】　　　図１
2004064569.tif 000002
【特許請求の範囲】
【請求項１】
パケット通信網においてパケット送信端末に接続され、パケット送信端末から送信されてくるパケットに対してＴＯＳを用いた転送処理の優先度制御を行うエッジノードであって、
パケット送信端末から送信されてくるパケットを受信する受信手段と、
この受信したパケットのヘッダのＴＯＳフィールドに設定されているパケット転送処理の優先度を監視する監視手段と、
この監視している優先度が最も高い値になった場合、その旨を信号制御サーバに通知するとともに、この最も高い値の優先度を維持する通知および維持手段と
を有することを特徴とするエッジノード。
【請求項２】
パケット通信網においてパケット送信端末に接続されたエッジノードと連携して動作し、パケット送信端末から送信されてくるパケットに対してＴＯＳを用いた転送処理の優先度制御を行うＮＷに設置される信号制御サーバであって、
パケット送信端末からの発呼に応答して該パケット送信端末がサービス契約者であるか否かについての認証を行う認証手段と、
この認証の結果、パケット送信端末がサービス契約端末であると認証した場合、当該パケット送信端末から送信されてくるパケットのヘッダのＴＯＳフィールドの値の監視を開始するようにエッジノードに指令する監視指令手段と、
パケット転送処理の優先度が最も高い値になった旨の通知をエッジノードから受信した場合、当該パケット送信端末に対する課金を開始する課金開始手段と
を有することを特徴とする信号制御サーバ。
【請求項３】
パケット通信網においてパケット送信端末に接続され、パケット送信端末から送信されてくるパケットに対してＴＯＳを用いた転送処理の優先度制御を行うエッジノードであって、
パケット送信端末から送信されてくるパケットを受信する受信手段と、
この受信したパケットのヘッダのＴＯＳフィールドに設定するパケット転送処理の優先度を通信開始時に所定の標準値に設定し、この所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、前記優先度を下げた値に設定してから所定の時間経過後、ＴＯＳフィールドに設定されている優先度を所定の標準値に設定する優先度設定手段と、
パケットのヘッダのＴＯＳフィールドに設定されている優先度が最も高い値になった場合、その旨を信号制御サーバに通知するとともに、この最も高い値の優先度を維持する通知および維持手段と
を有することを特徴とするエッジノード。
【請求項４】
パケット通信網においてパケット送信端末に接続され、パケット送信端末から送信されてくるパケットに対してＴＯＳを用いた転送処理の優先度制御を行うエッジノードにおける処理方法であって、
パケット送信端末から送信されてくるパケットを受信し、
この受信したパケットのヘッダのＴＯＳフィールドに設定されているパケット転送処理の優先度を監視し、
この監視している優先度が最も高い値になった場合、その旨を信号制御サーバに通知するとともに、この最も高い値の優先度を維持すること
を特徴とするエッジノードにおける処理方法。
【請求項５】
パケット通信網においてパケット送信端末に接続されたエッジノードと連携して動作し、パケット送信端末から送信されてくるパケットに対してＴＯＳを用いた転送処理の優先度制御を行うＮＷに設置される信号制御サーバにおける処理方法であって、
パケット送信端末からの発呼に応答して該パケット送信端末がサービス契約者であることについての認証を行い、
この認証の結果、パケット送信端末がサービス契約端末であると認証した場合、当該パケット送信端末から送信されてくるパケットのヘッダのＴＯＳフィールドの値の監視を開始するようにエッジノードに指令し、
パケット転送処理の優先度が最も高い値になった旨の通知をエッジノードから受信した場合、当該パケット送信端末に対する課金を開始すること
を特徴とする信号制御サーバにおける処理方法。
【請求項６】
パケット通信網においてパケット送信端末に接続され、パケット送信端末から送信されてくるパケットに対してＴＯＳを用いた転送処理の優先度制御を行うエッジノードにおける処理方法であって、
パケット送信端末から送信されてくるパケットを受信し、
この受信したパケットのヘッダのＴＯＳフィールドに設定するパケット転送処理の優先度を通信開始時に所定の標準値に設定し、この所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、前記優先度を下げた値に設定してから所定の時間経過後、ＴＯＳフィールドに設定されている優先度を所定の標準値に設定し、
パケットのヘッダのＴＯＳフィールドに設定されている優先度が最も高い値になった場合、その旨を信号制御サーバに通知するとともに、この最も高い値の優先度を維持すること
を特徴とするエッジノードにおける処理方法。
【請求項７】
パケット通信網においてパケット送信端末から送信されてくるパケットに対してＴＯＳを用いた転送処理の優先度制御を行う通信品質制御方法であって、
パケット送信端末から送信されるパケットの通信品質を検出し、
この検出したパケット通信品質に基づき送信パケットのヘッダのＴＯＳフィールドにパケット転送処理の優先度を設定して該送信パケットを送信し、
前記優先度が最も低い値に設定された場合には所定時間経過後に該優先度を標準値に戻し、
前記優先度が最も高い値になった場合、この値を維持し、当該パケット送信端末に対する課金を開始すること
を特徴とする通信品質制御方法。
【請求項８】
パケット通信網においてパケット送信端末から送信されてくるパケットに対してＴＯＳを用いた転送処理の優先度制御を行う通信品質制御方法であって、
パケット送信端末は、相手端末に送信するパケットのヘッダのＴＯＳフィールドに設定するパケット転送処理の優先度を通信開始時に所定の標準値に設定し、パケット送信端末は、前記所定の標準値に設定した後所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、
パケット送信端末は、ＴＯＳフィールドに設定されている優先度を下げた値に設定してから所定の時間経過後、ＴＯＳフィールドに設定されている優先度を所定の標準値に戻し、
前記パケット送信端末に接続されているエッジノードは、パケット送信端末から送信されてくるパケットを受信し、このパケットのヘッダのＴＯＳフィールドに設定されている優先度を監視し、該優先度が最も高い値になった場合、その旨を信号制御サーバに通知するとともに、この最も高い値の優先度を維持し、
前記エッジノードと連携して動作する信号制御サーバは、エッジノードからの優先度が最も高い値になった旨の通知を受信した場合、当該パケット送信端末に対する課金を開始すること
を特徴とする通信品質制御方法。
【請求項９】
パケット通信網においてパケット送信端末から送信されてくるパケットに対してＴＯＳを用いた転送処理の優先度制御を行う通信品質制御方法であって、
パケット送信端末から送信されるパケットのヘッダのＴＯＳフィールドに設定するパケット転送処理の優先度を通信開始時に所定の標準値に設定し、
前記所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、
ＴＯＳフィールドに設定されている優先度を下げた値に設定してから所定の時間経過後、ＴＯＳフィールドに設定されている優先度を所定の標準値に戻し、
パケット送信端末から送信されてくるパケットのヘッダのＴＯＳフィールドに設定されている優先度を監視し、該優先度が最も高い値になった場合、この最も高い値の優先度を維持するとともに、当該パケット送信端末に対する課金を開始するように指示すること
を特徴とする通信品質制御方法。
【請求項１０】
パケット通信網においてパケット送信端末から送信されてくるパケットに対してＴＯＳを用いた転送処理の優先度制御を行う通信品質制御装置であって、
パケット送信端末から送信されるパケットの通信品質を検出する品質検出手段と、
この検出したパケット通信品質に基づき送信パケットのヘッダのＴＯＳフィールドにパケット転送処理の優先度を設定して該送信パケットを送信する優先度設定手段と、
前記優先度が最も低い値に設定された場合には所定時間経過後に該優先度を標準値に戻す標準値復元手段と、
前記優先度が最も高い値になった場合、この値を維持し、当該パケット送信端末に対する課金を開始する課金手段と
を有することを特徴とする通信品質制御装置。
【請求項１１】
パケット通信網においてパケット送信端末から送信されてくるパケットに対してＴＯＳを用いた転送処理の優先度制御を行う通信品質制御装置であって、
パケット送信端末に設けられ、相手端末に送信するパケットのヘッダのＴＯＳフィールドに設定するパケット転送処理の優先度を通信開始時に所定の標準値に設定する標準値設定手段と、
パケット送信端末に設けられ、所定の標準値に設定した後所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定する優先度設定手段と、
パケット送信端末に設けられ、ＴＯＳフィールドに設定されている優先度を下げた値に設定してから所定の時間経過後、ＴＯＳフィールドに設定されている優先度を所定の標準値に戻す標準値復元手段と、
前記パケット送信端末に接続されているエッジノードに設けられ、パケット送信端末から送信されてくるパケットを受信し、このパケットのヘッダのＴＯＳフィールドに設定されている優先度を監視し、該優先度が最も高い値になった場合、その旨を信号制御サーバに通知するとともに、この最も高い値の優先度を維持する通知および維持手段と、
前記エッジノードと連携して動作する信号制御サーバに設けられ、エッジノードからの優先度が最も高い値になった旨の通知を受信した場合、当該パケット送信端末に対する課金を開始する課金手段と
を有することを特徴とする通信品質制御装置。
【請求項１２】
パケット通信網においてパケット送信端末から送信されてくるパケットに対してＴＯＳを用いた転送処理の優先度制御を行う通信品質制御装置であって、
パケット送信端末から送信されるパケットのヘッダのＴＯＳフィールドに設定するパケット転送処理の優先度を通信開始時に所定の標準値に設定する標準値設定手段と、
所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定する優先度設定手段と、
ＴＯＳフィールドに設定されている優先度を下げた値に設定してから所定の時間経過後、ＴＯＳフィールドに設定されている優先度を所定の標準値に戻す標準値復元手段と、
パケット送信端末から送信されてくるパケットのヘッダのＴＯＳフィールドに設定されている優先度を監視し、該優先度が最も高い値になった場合、このＴＯＳフィールドに設定されている最も高い値の優先度を維持するとともに、当該パケット送信端末に対する課金を開始するように指示する課金指示手段と
を有することを特徴とする通信品質制御装置。
【発明の詳細な説明】
【０００１】
【発明の属する技術分野】
本発明は、パケット通信網においてパケット送信端末に接続され、パケット送信端末から送信されてくるパケットに対してＴＯＳを用いた転送処理の優先度制御を行うエッジノード、このエッジノードと連携して動作する信号制御サーバ、送信パケットに対してＴＯＳを用いた転送処理の優先度制御を行う通信品質制御方法および通信品質制御装置に関する。
【０００２】
【従来の技術】
従来、ＩＰパケットのヘッダに含まれているＴＯＳ（Ｔｙｐｅ　Ｏｆ　Ｓｅｒｖｉｃｅ）フィールドを用いて、パケット転送処理の優先度制御が行われているが、従来の通信サービスでは、通信網が主体のＴＯＳ制御であり、顧客毎やセッション毎の優先サービスが行われてなく、通信網内のみで管理が行われている。
【０００３】
また、従来のリアルタイム系通信サービスでは、ＴＣＰのような端末によるフロー制御を行ってなく、通信網内の制御に依存している。
【０００４】
【発明が解決しようとする課題】
上述したように、従来の通信サービスでは、通信網が主体のＴＯＳ制御であり、顧客毎やセッション毎の優先サービスが行われていないという問題がある。
【０００５】
また、従来の通信サービスでは、ＴＯＳフィールドの優先度を用いた制御は通信網内のみの管理であり、通信網の機能負担が大きいという問題がある。
【０００６】
また、従来のリアルタイム系通信サービスでは、ＴＣＰのような端末によるフロー制御を行っていなく、通信網内の制御に依存しているという問題がある。
【０００７】
本発明は、上記に鑑みてなされたもので、その目的とするところは、セッション毎の優先サービスの実施、端末間でのＴＯＳフィールドの優先度を用いた制御、通信網の機能負担の軽減化を図り得るエッジノード、信号制御サーバ、エッジノードにおける処理方法、信号制御サーバにおける処理方法、通信品質制御方法および通信品質制御装置を提供することにある。
【０００８】
【課題を解決するための手段】
上記目的を達成するため、請求項１記載の本発明は、パケット通信網においてパケット送信端末に接続され、パケット送信端末から送信されてくるパケットに対してＴＯＳを用いた転送処理の優先度制御を行うエッジノードであって、パケット送信端末から送信されてくるパケットを受信する受信手段と、この受信したパケットのヘッダのＴＯＳフィールドに設定されているパケット転送処理の優先度を監視する監視手段と、この監視している優先度が最も高い値になった場合、その旨を信号制御サーバに通知するとともに、この最も高い値の優先度を維持する通知および維持手段とを有することを要旨とする。
【０００９】
請求項１記載の本発明のエッジノードにあっては、パケット送信端末から送信されてくるパケットを受信し、このパケットのヘッダのＴＯＳフィールドに設定されているパケット転送処理の優先度を監視し、この優先度が最も高い値になった場合、その旨を信号制御サーバに通知するとともに、この最も高い値の優先度を維持するため、セッション毎や顧客毎の優先品質付加サービスを行うことができるとともに、端末間での通信品質を確保でき、良好な品質の通信状態を維持することができる。
【００１０】
また、請求項２記載の本発明は、パケット通信網においてパケット送信端末に接続されたエッジノードと連携して動作し、パケット送信端末から送信されてくるパケットに対してＴＯＳを用いた転送処理の優先度制御を行うＮＷに設置される信号制御サーバであって、パケット送信端末からの発呼に応答して該パケット送信端末がサービス契約者であるか否かについての認証を行う認証手段と、この認証の結果、パケット送信端末がサービス契約端末であると認証した場合、当該パケット送信端末から送信されてくるパケットのヘッダのＴＯＳフィールドの値の監視を開始するようにエッジノードに指令する監視指令手段と、パケット転送処理の優先度が最も高い値になった旨の通知をエッジノードから受信した場合、当該パケット送信端末に対する課金を開始する課金開始手段とを有することを要旨とする。
【００１１】
請求項２記載の本発明の信号制御サーバにあっては、パケット送信端末からの発呼に応答して該パケット送信端末がサービス契約者であるか否かについての認証を行い、サービス契約端末であると認証した場合、当該パケット送信端末から送信されてくるパケットのヘッダのＴＯＳフィールドの値の監視を開始するようにエッジノードに指令し、パケット転送処理の優先度が最も高い値になった旨の通知をエッジノードから受信した場合、当該パケット送信端末に対する課金を開始するため、通信品質が良好になった場合、従時間制課金を開始することができる。
【００１２】
更に、請求項３記載の本発明は、パケット通信網においてパケット送信端末に接続され、パケット送信端末から送信されてくるパケットに対してＴＯＳを用いた転送処理の優先度制御を行うエッジノードであって、パケット送信端末から送信されてくるパケットを受信する受信手段と、この受信したパケットのヘッダのＴＯＳフィールドに設定するパケット転送処理の優先度を通信開始時に所定の標準値に設定し、この所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、前記優先度を下げた値に設定してから所定の時間経過後、ＴＯＳフィールドに設定されている優先度を所定の標準値に設定する優先度設定手段と、パケットのヘッダのＴＯＳフィールドに設定されている優先度が最も高い値になった場合、その旨を信号制御サーバに通知するとともに、この最も高い値の優先度を維持する通知および維持手段とを有することを要旨とする。
【００１３】
請求項３記載の本発明のエッジノードにあっては、パケット送信端末から送信されてくるパケットを受信し、このパケットのヘッダのＴＯＳフィールドに設定する優先度を通信開始時に所定の標準値に設定し、所定の標準値に設定後、所定の時間の経過までの間に通信品質が劣化した場合、優先度を下げた値に設定し、所定の時間の経過までの間に通信品質の劣化が見られない場合、優先度を上げた値に設定し、優先度を下げた値に設定してから所定の時間経過後、優先度を所定の標準値に設定し、優先度が最も高い値になった場合、その旨を信号制御サーバに通知するとともに、この最も高い値の優先度を維持するため、セッション毎や顧客毎の優先品質付加サービスを行うことができるとともに、端末間での通信品質を確保でき、良好な品質の通信状態を維持することができる。
【００１４】
請求項４記載の本発明は、パケット通信網においてパケット送信端末に接続され、パケット送信端末から送信されてくるパケットに対してＴＯＳを用いた転送処理の優先度制御を行うエッジノードにおける処理方法であって、パケット送信端末から送信されてくるパケットを受信し、この受信したパケットのヘッダのＴＯＳフィールドに設定されているパケット転送処理の優先度を監視し、この監視している優先度が最も高い値になった場合、その旨を信号制御サーバに通知するとともに、この最も高い値の優先度を維持することを要旨とする。
【００１５】
請求項４記載の本発明のエッジノードにあっては、パケット送信端末から送信されてくるパケットを受信し、このパケットのヘッダのＴＯＳフィールドに設定されているパケット転送処理の優先度を監視し、この優先度が最も高い値になった場合、その旨を信号制御サーバに通知するとともに、この最も高い値の優先度を維持するため、セッション毎や顧客毎の優先品質付加サービスを行うことができるとともに、端末間での通信品質を確保でき、良好な品質の通信状態を維持することができる。
【００１６】
また、請求項５記載の本発明は、パケット通信網においてパケット送信端末に接続されたエッジノードと連携して動作し、パケット送信端末から送信されてくるパケットに対してＴＯＳを用いた転送処理の優先度制御を行うＮＷに設置される信号制御サーバにおける処理方法であって、パケット送信端末からの発呼に応答して該パケット送信端末がサービス契約者であることについての認証を行い、この認証の結果、パケット送信端末がサービス契約端末であると認証した場合、当該パケット送信端末から送信されてくるパケットのヘッダのＴＯＳフィールドの値の監視を開始するようにエッジノードに指令し、パケット転送処理の優先度が最も高い値になった旨の通知をエッジノードから受信した場合、当該パケット送信端末に対する課金を開始することを要旨とする。
【００１７】
請求項５記載の本発明の信号制御サーバにあっては、パケット送信端末からの発呼に応答して該パケット送信端末がサービス契約者であるか否かについての認証を行い、サービス契約端末であると認証した場合、当該パケット送信端末から送信されてくるパケットのヘッダのＴＯＳフィールドの値の監視を開始するようにエッジノードに指令し、パケット転送処理の優先度が最も高い値になった旨の通知をエッジノードから受信した場合、当該パケット送信端末に対する課金を開始するため、通信品質が良好になった場合、従時間制課金を開始することができる。
【００１８】
更に、請求項６記載の本発明は、パケット通信網においてパケット送信端末に接続され、パケット送信端末から送信されてくるパケットに対してＴＯＳを用いた転送処理の優先度制御を行うエッジノードにおける処理方法であって、パケット送信端末から送信されてくるパケットを受信し、この受信したパケットのヘッダのＴＯＳフィールドに設定するパケット転送処理の優先度を通信開始時に所定の標準値に設定し、この所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、前記優先度を下げた値に設定してから所定の時間経過後、ＴＯＳフィールドに設定されている優先度を所定の標準値に設定し、パケットのヘッダのＴＯＳフィールドに設定されている優先度が最も高い値になった場合、その旨を信号制御サーバに通知するとともに、この最も高い値の優先度を維持することを要旨とする。
【００１９】
請求項６記載の本発明のエッジノードにあっては、パケット送信端末から送信されてくるパケットを受信し、このパケットのヘッダのＴＯＳフィールドに設定する優先度を通信開始時に所定の標準値に設定し、所定の標準値に設定後、所定の時間の経過までの間に通信品質が劣化した場合、優先度を下げた値に設定し、所定の時間の経過までの間に通信品質の劣化が見られない場合、優先度を上げた値に設定し、優先度を下げた値に設定してから所定の時間経過後、優先度を所定の標準値に設定し、優先度が最も高い値になった場合、その旨を信号制御サーバに通知するとともに、この最も高い値の優先度を維持するため、セッション毎や顧客毎の優先品質付加サービスを行うことができるとともに、端末間での通信品質を確保でき、良好な品質の通信状態を維持することができる。
【００２０】
請求項７記載の本発明は、パケット通信網においてパケット送信端末から送信されてくるパケットに対してＴＯＳを用いた転送処理の優先度制御を行う通信品質制御方法であって、パケット送信端末から送信されるパケットの通信品質を検出し、この検出したパケット通信品質に基づき送信パケットのヘッダのＴＯＳフィールドにパケット転送処理の優先度を設定して該送信パケットを送信し、前記優先度が最も低い値に設定された場合には所定時間経過後に該優先度を標準値に戻し、前記優先度が最も高い値になった場合、この値を維持し、当該パケット送信端末に対する課金を開始することを要旨とする。
【００２１】
請求項７記載の本発明の通信品質制御方法にあっては、パケット送信端末から送信されるパケットの通信品質を検出し、このパケット通信品質に基づき送信パケットのヘッダのＴＯＳフィールドにパケット転送処理の優先度を設定して該送信パケットを送信し、優先度が最も低い値に設定された場合には所定時間経過後に該優先度を標準値に戻し、優先度が最も高い値になった場合、この値を維持し、当該パケット送信端末に対する課金を開始するため、セッション毎や顧客毎の優先品質付加サービスを行うことができるとともに、端末間での通信品質を確保でき、良好な品質の通信状態を維持することができ、また従時間制課金を開始することができる。
【００２２】
また、請求項８記載の本発明は、パケット通信網においてパケット送信端末から送信されてくるパケットに対してＴＯＳを用いた転送処理の優先度制御を行う通信品質制御方法であって、パケット送信端末は、相手端末に送信するパケットのヘッダのＴＯＳフィールドに設定するパケット転送処理の優先度を通信開始時に所定の標準値に設定し、パケット送信端末は、前記所定の標準値に設定した後所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、パケット送信端末は、ＴＯＳフィールドに設定されている優先度を下げた値に設定してから所定の時間経過後、ＴＯＳフィールドに設定されている優先度を所定の標準値に戻し、前記パケット送信端末に接続されているエッジノードは、パケット送信端末から送信されてくるパケットを受信し、このパケットのヘッダのＴＯＳフィールドに設定されている優先度を監視し、該優先度が最も高い値になった場合、その旨を信号制御サーバに通知するとともに、この最も高い値の優先度を維持し、前記エッジノードと連携して動作する信号制御サーバは、エッジノードからの優先度が最も高い値になった旨の通知を受信した場合、当該パケット送信端末に対する課金を開始することを要旨とする。
【００２３】
請求項８記載の本発明の通信品質制御方法にあっては、パケット送信端末はパケット転送処理の優先度を通信開始時に所定の標準値に設定し、所定の標準値に設定後所定の時間の経過までの間に通信品質が劣化した場合、優先度を下げた値に設定し、所定の時間の経過までの間に劣化が見られない場合、優先度を上げた値に設定し、優先度を下げた値に設定してから所定の時間経過後、優先度を所定の標準値に戻し、エッジノードは受信パケットのＴＯＳフィールドに設定されている優先度を監視し、優先度が最も高い値になった場合、その旨を信号制御サーバに通知するとともに、この最も高い値の優先度を維持し、信号制御サーバは、エッジノードからの優先度が最も高い値になった旨の通知を受信すると、パケット送信端末に対する課金を開始するため、アプリケーション毎、セッション毎や顧客毎の優先品質付加サービスを行うことができるとともに、ユーザエンドポイントが別のポイントに移動しても端末間でＴＯＳ制御することによりそのポイントのトラヒック状況に見合ったよりよい通信品質の安定的提供が可能であり、また端末主体のＴＯＳ制御により通信網の負担を軽減でき、更に端末間での通信品質を確保でき、良好な品質の通信状態を維持することができ、また従時間制課金を開始することができる。
【００２４】
更に、請求項９記載の本発明は、パケット通信網においてパケット送信端末から送信されてくるパケットに対してＴＯＳを用いた転送処理の優先度制御を行う通信品質制御方法であって、パケット送信端末から送信されるパケットのヘッダのＴＯＳフィールドに設定するパケット転送処理の優先度を通信開始時に所定の標準値に設定し、前記所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定し、ＴＯＳフィールドに設定されている優先度を下げた値に設定してから所定の時間経過後、ＴＯＳフィールドに設定されている優先度を所定の標準値に戻し、パケット送信端末から送信されてくるパケットのヘッダのＴＯＳフィールドに設定されている優先度を監視し、該優先度が最も高い値になった場合、この最も高い値の優先度を維持するとともに、当該パケット送信端末に対する課金を開始するように指示することを要旨とする。
【００２５】
請求項９記載の本発明の通信品質制御方法にあっては、パケット送信端末から送信されるパケットのヘッダのＴＯＳフィールドに設定するパケット転送処理の優先度を通信開始時に所定の標準値に設定し、所定の標準値に設定後、所定の時間の経過までの間に通信品質が劣化した場合、優先度を下げた値に設定し、所定の時間の経過までの間に劣化が見られない場合、優先度を上げた値に設定し、優先度を下げた値に設定してから所定の時間経過後、優先度を所定の標準値に戻し、パケット送信端末からの送信パケットのＴＯＳフィールドに設定されている優先度を監視し、優先度が最も高い値になった場合、この最も高い値の優先度を維持するとともに、当該パケット送信端末に対する課金を開始するように指示するため、アプリケーション後、セッション毎や顧客毎の優先品質付加サービスを行うことができるとともに、端末間での通信品質を確保でき、良好な品質の通信状態を維持することができ、また従時間制課金を開始することができる。
【００２６】
請求項１０記載の本発明は、パケット通信網においてパケット送信端末から送信されてくるパケットに対してＴＯＳを用いた転送処理の優先度制御を行う通信品質制御装置であって、パケット送信端末から送信されるパケットの通信品質を検出する品質検出手段と、この検出したパケット通信品質に基づき送信パケットのヘッダのＴＯＳフィールドにパケット転送処理の優先度を設定して該送信パケットを送信する優先度設定手段と、前記優先度が最も低い値に設定された場合には所定時間経過後に該優先度を標準値に戻す標準値復元手段と、前記優先度が最も高い値になった場合、この値を維持し、当該パケット送信端末に対する課金を開始する課金手段とを有することを要旨とする。
【００２７】
請求項１０記載の本発明の通信品質制御装置にあっては、パケット送信端末から送信されるパケットの通信品質を検出し、このパケット通信品質に基づき送信パケットのヘッダのＴＯＳフィールドにパケット転送処理の優先度を設定して該送信パケットを送信し、優先度が最も低い値に設定された場合には所定時間経過後に該優先度を標準値に戻し、優先度が最も高い値になった場合、この値を維持し、当該パケット送信端末に対する課金を開始するため、セッション毎や顧客毎の優先品質付加サービスを行うことができるとともに、端末間での通信品質を確保でき、良好な品質の通信状態を維持することができ、また従時間制課金を開始することができる。
【００２８】
また、請求項１１記載の本発明は、パケット通信網においてパケット送信端末から送信されてくるパケットに対してＴＯＳを用いた転送処理の優先度制御を行う通信品質制御装置であって、パケット送信端末に設けられ、相手端末に送信するパケットのヘッダのＴＯＳフィールドに設定するパケット転送処理の優先度を通信開始時に所定の標準値に設定する標準値設定手段と、パケット送信端末に設けられ、所定の標準値に設定した後所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定する優先度設定手段と、パケット送信端末に設けられ、ＴＯＳフィールドに設定されている優先度を下げた値に設定してから所定の時間経過後、ＴＯＳフィールドに設定されている優先度を所定の標準値に戻す標準値復元手段と、前記パケット送信端末に接続されているエッジノードに設けられ、パケット送信端末から送信されてくるパケットを受信し、このパケットのヘッダのＴＯＳフィールドに設定されている優先度を監視し、該優先度が最も高い値になった場合、その旨を信号制御サーバに通知するとともに、この最も高い値の優先度を維持する通知および維持手段と、前記エッジノードと連携して動作する信号制御サーバに設けられ、エッジノードからの優先度が最も高い値になった旨の通知を受信した場合、当該パケット送信端末に対する課金を開始する課金手段とを有することを要旨とする。
【００２９】
請求項１１記載の本発明の通信品質制御装置にあっては、パケット送信端末はパケット転送処理の優先度を通信開始時に所定の標準値に設定し、所定の標準値に設定後所定の時間の経過までの間に通信品質が劣化した場合、優先度を下げた値に設定し、所定の時間の経過までの間に劣化が見られない場合、優先度を上げた値に設定し、優先度を下げた値に設定してから所定の時間経過後、優先度を所定の標準値に戻し、エッジノードは受信パケットのＴＯＳフィールドに設定されている優先度を監視し、優先度が最も高い値になった場合、その旨を信号制御サーバに通知するとともに、この最も高い値の優先度を維持し、信号制御サーバは、エッジノードからの優先度が最も高い値になった旨の通知を受信すると、パケット送信端末に対する課金を開始するため、アプリケーション毎、セッション毎や顧客毎の優先品質付加サービスを行うことができるとともに、ユーザエンドポイントが別のポイントに移動しても端末間でＴＯＳ制御することによりそのポイントのトラヒック状況に見合ったよりよい通信品質の安定的提供が可能であり、また端末主体のＴＯＳ制御により通信網の負担を軽減でき、更に端末間での通信品質を確保でき、良好な品質の通信状態を維持することができ、また従時間制課金を開始することができる。
【００３０】
更に、請求項１２記載の本発明は、パケット通信網においてパケット送信端末から送信されてくるパケットに対してＴＯＳを用いた転送処理の優先度制御を行う通信品質制御装置であって、パケット送信端末から送信されるパケットのヘッダのＴＯＳフィールドに設定するパケット転送処理の優先度を通信開始時に所定の標準値に設定する標準値設定手段と、所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定する優先度設定手段と、ＴＯＳフィールドに設定されている優先度を下げた値に設定してから所定の時間経過後、ＴＯＳフィールドに設定されている優先度を所定の標準値に戻す標準値復元手段と、パケット送信端末から送信されてくるパケットのヘッダのＴＯＳフィールドに設定されている優先度を監視し、該優先度が最も高い値になった場合、このＴＯＳフィールドに設定されている最も高い値の優先度を維持するとともに、当該パケット送信端末に対する課金を開始するように指示する課金指示手段とを有することを要旨とする。
【００３１】
請求項１２記載の本発明の通信品質制御装置にあっては、パケット送信端末から送信されるパケットのヘッダのＴＯＳフィールドに設定するパケット転送処理の優先度を通信開始時に所定の標準値に設定し、所定の標準値に設定後、所定の時間の経過までの間に通信品質が劣化した場合、優先度を下げた値に設定し、所定の時間の経過までの間に劣化が見られない場合、優先度を上げた値に設定し、優先度を下げた値に設定してから所定の時間経過後、優先度を所定の標準値に戻し、パケット送信端末からの送信パケットのＴＯＳフィールドに設定されている優先度を監視し、優先度が最も高い値になった場合、この最も高い値の優先度を維持するとともに、当該パケット送信端末に対する課金を開始するように指示するため、アプリケーション毎、セッション毎や顧客毎の優先品質付加サービスを行うことができるとともに、端末間での通信品質を確保でき、良好な品質の通信状態を維持することができ、また従時間制課金を開始することができる。
【００３２】
【発明の実施の形態】
以下、図面を用いて本発明の実施の形態を説明する。図１は、本発明の一実施形態に係る通信品質制御方法を実施するシステム構成図である。同図に示す実施形態においては、端末１１と端末１２を接続するパケット通信網３において端末１１はエッジノード２１に接続され、相手端末１２はエッジノード２２に接続され、エッジノード２１と２２はコアノード２５を介して接続されている。信号制御サーバ４１はエッジノード２１と連携して動作し、信号制御サーバ４２はエッジノード２２と連携して動作する。また、端末１１とエッジノード２１は通信制御装置５１を構成し、端末１２とエッジノード２２は通信制御装置５２を構成している。
【００３３】
端末１１から端末１２にパケットを送信する場合においてパケット送信端末となる端末１１は、相手端末１２に送信する最初の送信パケットのＴＯＳフィールドの値である転送処理の優先度を通信開始時に標準値に設定し、以降はＴＯＳフィールドの値をＲＴＣＰ（ＲＴＰ（Ｒｅａｌ−Ｔｉｍｅ　Ｔｒａｎｓｐｏｒｔ　Ｐｒｏｔｏｃｏｌ）Ｃｏｎｔｒｏｌ　Ｐｒｏｔｏｃｏｌ）からの通信品質の状況によりＴＯＳフィールドの値を設定する。すなわち、パケットの通信品質はパケット送信端末１１で受信されるＲＴＣＰパケットに含まれる品質情報に基づき判断されてＴＯＳフィールドの値として付与される。
【００３４】
エッジノード２１は、パケット送信端末１１からの送信パケットのＴＯＳフィールドの値を監視し、ＴＯＳフィールドの値に応じた転送処理の優先度制御を行い、送信パケットのＴＯＳフィールドの値が最も高い優先度の値になった場合にのみ、その旨を信号制御サーバ４１に通知する。
【００３５】
信号制御サーバ４１は、パケット送信端末１１が契約端末であるか否かを認証し、契約端末である場合には、エッジノード２１に対してＴＯＳフィールドの値の監視の開始を通知し、またＴＯＳフィールドの値が最も高い優先度の値になったことの通知をエッジノード２１から受けると、当該パケット送信端末１１に対する課金を開始する。
【００３６】
次に、図２に示すフローチャートを参照して、本実施形態において信号制御サーバ４１とエッジノード２１との連携により端末１１のユーザ認証を行い、契約ユーザである端末１１にのみサービスを提供する優先品質付加サービスを提供する制御におけるＴＯＳを用いた付加サービスの課金方法について説明する。
【００３７】
図２においては、パケット送信端末１１は、まず通信開始にあたりエッジノード２１を介して信号制御サーバ４１に対して発呼信号を送出する（ステップＳ１）。信号制御サーバ４１は、パケット送信端末１１から発呼信号を受信すると、パケット送信端末１１がサービス契約者端末であることの認証を行う（ステップＳ２）。
【００３８】
信号制御サーバ４１は、パケット送信端末１１がサービス契約者端末であることを認証すると、当該パケット送信端末１１を収容しているエッジノード２１に対してパケット送信端末１１からの通信を監視するように指示する（ステップＳ３）。
【００３９】
エッジノード２１は、パケット送信端末１１からのパケットに付与されているＴＯＳフィールドの値を監視し、このＴＯＳフィールドの値が予め設定されている最も高い優先度に変化したことを検出すると、信号制御サーバ４１にその旨を通知する（ステップＳ４）。
【００４０】
信号制御サーバ４１は、ＴＯＳフィールドの値が予め設定されている最も高い優先度に変化した旨の通知をエッジノード２１から受けると、当該パケット送信端末１１に対する課金を開始する（ステップＳ５）。
【００４１】
本実施形態においてＴＯＳを用いた転送処理の優先度制御を行う通信品質制御について更に詳しく説明する。
【００４２】
まず、パケット送信端末１１においては標準値設定手段により相手端末１２に送信するパケットのヘッダのＴＯＳフィールドに設定するパケット転送処理の優先度を通信開始時に所定の標準値に設定して該送信パケットを相手端末１２に送信する。
【００４３】
それから、パケット送信端末１１においては前記所定の標準値に設定した後所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定する処理を優先度設定手段により行う。
【００４４】
また、パケット送信端末１１においては標準値復元手段によりＴＯＳフィールドに設定されている優先度を下げた値に設定してから所定の時間経過後、ＴＯＳフィールドに設定されている優先度を所定の標準値に戻す。
【００４５】
一方、パケット送信端末１１に接続されているエッジノード２１においてはパケット送信端末１１から送信されてくるパケットを受信し、このパケットのヘッダのＴＯＳフィールドに設定されている優先度を監視し、該優先度が最も高い値になった場合、その旨を信号制御サーバ４１に通知するとともに、この最も高い値の優先度を維持する処理を通知および維持手段により行う。
【００４６】
また、エッジノード２１と連携して動作する信号制御サーバ４１においては課金手段によりエッジノード２１からの優先度が最も高い値になった旨の通知を受信した場合、当該パケット送信端末１１に対する課金を開始する。
【００４７】
次に、パケット送信端末１１から送信されるパケットのヘッダのＴＯＳフィールドに設定されるパケット転送処理の優先度について説明する。
【００４８】
ＴＯＳフィールドに設定される優先度は、複数の段階を有するが、本実施形態では一例として、Ｌ（低優先度）、Ｍ（中優先度＝標準値）、およびＨ（高優先度）の３段階の優先度があり、この中のいずれか１つの優先度がパケット送信端末１１に設定され、エッジノード２１を含むパケット通信網３内の全ノードはこのＴＯＳフィールドの値に従って転送処理の優先度制御を行う。
【００４９】
次に、図３を参照して、通信経過時間とＴＯＳフィールドの値の付与方法について説明する。
【００５０】
すなわち、ＴＯＳフィールドに設定される値は、上述したように通信経過時間に応じて適宜付与されるが、具体的には、パケット送信端末１１から送信されるパケットのヘッダのＴＯＳフィールドに設定する優先度は通信開始時に所定の標準値に設定され、この所定の標準値に設定された後、所定の時間が経過するまでの間にパケット通信品質が劣化した場合、ＴＯＳフィールドに設定されている優先度を下げた値に設定し、この優先度を下げた値に設定してから所定の時間経過後、ＴＯＳフィールドに設定されている優先度を所定の標準値に戻し、前記所定の標準値に設定された後、所定の時間が経過するまでの間にパケット通信品質の劣化が見られない場合、ＴＯＳフィールドに設定されている優先度を上げた値に設定するようになっているが、この通信経過時間とＴＯＳフィールドの値の付与について説明する。なお、図３において、Ｔ（１）、Ｔ（２）、Ｔ（３）は、１ミリ秒から１分の間の設定した所定の時間である。
【００５１】
図３において、通信開始時にはＴＯＳフィールドの値はＭに初期設定される（ＴＯＳ＝Ｍ）（時点Ｐ０）。この初期設定から所定の時間Ｔ（１）の経過の間に通信品質の劣化を確認すると、ＴＯＳフィールドの値はＬに下げられる（ＴＯＳ＝Ｌ）（時点Ｐ１）。このようにＬに下げられてから所定の時間Ｔ（２）の経過後、Ｌに下げられたＴＯＳフィールドの値は、Ｍに戻される（ＴＯＳ＝Ｍ）（時点Ｐ２）。
【００５２】
そして、Ｍに戻されてから所定の時間Ｔ（１）の経過の間に通信品質の劣化を確認すると、ＴＯＳフィールドの値はＬに下げられる（ＴＯＳ＝Ｌ）（時点Ｐ３）。また、Ｌに下げられてから所定の時間Ｔ（３）の経過後、Ｍに戻される（ＴＯＳ＝Ｍ）（時点Ｐ４）。Ｍに戻されてから所定の時間Ｔ（１）の経過の間に通信品質の劣化が見られず、通信品質が良好である場合には、ＴＯＳフィールドの値はＨに設定される（ＴＯＳ＝Ｈ）（時点Ｐ５）。以降はＴＯＳフィールドの値はＨに継続的に維持される。
【００５３】
次に、図４に示すフローチャートを参照して、パケット転送処理の優先度であるＴＯＳフィールドの値の設定処理手順について説明する。なお、Ｔ（ｎ）は予め設定した時間である。
【００５４】
図４において、まずＴＯＳフィールドの値はＭに設定されるとともに（ステップＳ１１）、経過時間を監視するパラメータＴ、すなわち経過時間Ｔが０に設定されて経過時間が監視される（Ｔ＝０）（ステップＳ１２）。そして、この経過時間Ｔが所定の時間Ｔ（１）以上であるか否かを判定して経過時間を計測する（Ｔ≧Ｔ（１））（ステップＳ１３）。経過時間Ｔが所定の時間Ｔ（１）以上である場合には、通信品質が良好であるか否かを判定する（ステップＳ１４）。この判定の結果、通信品質が良好である場合には、ＴＯＳフィールドの値をＨに設定し（ステップＳ１５）、セッションが継続しているか否かを判定し（ステップＳ１６）、継続している場合には、設定処理を終了する。
【００５５】
一方、ステップＳ１４の判定において、通信品質が良好でない場合には、ＴＯＳフィールドの値をＬに設定し、所定の時間Ｔをインクリメントするためのカウンタをｎ＝１に設定し（ステップＳ１７）、また経過時間Ｔを０に設定する（Ｔ＝０）（ステップＳ１８）。それから、経過時間Ｔが所定の時間Ｔ（ｎ＋１）以上であるか否かを判定して経過時間を計測する（Ｔ≧Ｔ（ｎ＋１））（ステップＳ１９）。そして、経過時間Ｔが所定の時間Ｔ（ｎ＋１）以上である場合には、ＴＯＳフィールドの値をＭに設定し（ステップＳ２０）、また経過時間Ｔを０に設定する（Ｔ＝０）（ステップＳ２１）。
【００５６】
それから、経過時間Ｔが所定の時間Ｔ（１）以上であるか否かを判定して経過時間を計測し（Ｔ≧Ｔ（１））（ステップＳ２２）、経過時間Ｔが所定の時間Ｔ（１）以上である場合には、通信品質が良好であるか否かを判定する（ステップＳ２３）。この判定の結果、通信品質が良好である場合には、ＴＯＳフィールドの値をＨに設定し（ステップＳ１５）、セッションが継続しているか否かを判定し（ステップＳ１６）、継続している場合には、設定処理を終了する。
【００５７】
一方、ステップＳ２３の判定において、通信品質が良好でない場合には、ＴＯＳフィールドの値をＬに設定し、カウンタをｎ＝ｎ＋１にカウントアップし（ステップＳ２４）、また経過時間Ｔを０に設定する（Ｔ＝０）（ステップＳ１８）。以降は上述した処理を繰り返し行う。
【００５８】
なお、上記実施形態では、パケット送信端末１１がパケット通信品質状態を判定し、これによりＴＯＳフィールドの値を設定しているが、本発明はこれに限定されるものでなく、パケット送信端末１１の代わりに当該パケット送信端末１１に接続されているエッジノード２１においてパケット送信端末１１から送信されてくるパケットの通信品質状態を判定し、この判定結果に基づいてＴＯＳフィールドの値を設定してもよいものである。すなわち、本発明では、上述したパケット通信品質状態の判定、ＴＯＳフィールドの値の設定、ＴＯＳフィールドに設定される優先度が最も高い値になったことの通知、この最も高い値の優先度の維持、課金処理などの各機能は上述した各部において実施される必要はないものである。
【００５９】
このような実施形態の場合には、パケット送信端末１１、エッジノード２１などのいずれかにおいて標準値設定手段、優先度設定手段、標準値復元手段、課金指示手段を設け、標準値設定手段においてパケット送信端末から送信されるパケットのヘッダのＴＯＳフィールドに設定するパケット転送処理の優先度を通信開始時に所定の標準値に設定し、この所定の標準値に設定した後、所定の時間が経過するまでの間にパケット通信品質が劣化した場合、ＴＯＳフィールドに設定されている優先度を下げた値に設定し、前記所定の時間が経過するまでの間にパケット通信品質の劣化が見られない場合、ＴＯＳフィールドに設定されている優先度を上げた値に設定する処理を優先度設定手段で行い、またＴＯＳフィールドに設定されている優先度を下げた値に設定してから所定の時間経過後、ＴＯＳフィールドに設定されている優先度を所定の標準値に戻す処理を標準値復元手段で行い、更にパケット送信端末から送信されてくるパケットのヘッダのＴＯＳフィールドに設定されている優先度を監視し、該優先度が最も高い値になった場合、このＴＯＳフィールドに設定されている最も高い値の優先度を維持するとともに、当該パケット送信端末に対する課金を開始するように指示する処理を課金指示手段で行うことにより可能である。
【００６０】
【発明の効果】
以上説明したように、本発明によれば、エッジノードにおいて送信パケットを受信し、そのＴＯＳフィールドに設定されているパケット転送処理の優先度を監視し、最も高い値になった場合、その旨を信号制御サーバに通知するとともに、この最も高い値の優先度を維持するので、アプリケーション毎、セッション毎や顧客毎の優先サービスを行うことができるとともに、端末間での通信品質を確保でき、良好な品質の通信状態を維持することができる。
【００６１】
また、本発明によれば、信号制御サーバにおいて端末からの発呼に応答して該端末がサービス契約者であるか否かについての認証を行い、当該端末からの送信パケットのＴＯＳフィールドの値の監視を開始するようにエッジノードに指令し、優先度が最も高い値になった旨の通知をエッジノードから受信した場合、課金を開始するので、通信品質が良好になった場合、従時間制課金を開始することができる。
【００６２】
更に、本発明によれば、エッジノードにおいて送信パケットを受信し、そのＴＯＳフィールドに設定する優先度を通信開始時に標準値に設定し、所定の時間の経過までの間に通信品質が劣化した場合、優先度を下げ、劣化が見られない場合、優先度を上げ、優先度を下げた値に設定してから所定の時間経過後標準値に設定し、優先度が最も高い値になった場合、その旨を信号制御サーバに通知し、この最も高い値の優先度を継続するので、アプリケーション毎、セッション毎や顧客毎の優先サービスを行うことができるとともに、端末間での通信品質を確保でき、良好な品質の通信状態を維持することができる。
【００６３】
本発明によれば、端末からの送信パケットの通信品質を検出し、この通信品質に基づきパケットのＴＯＳフィールドに優先度を設定して送信し、優先度が最も低い値に設定された場合所定時間経過後に優先度を標準値に戻し、優先度が最も高い値になった場合、この値を維持して課金を開始するので、アプリケーション毎、セッション毎や顧客毎の優先サービスを行うことができるとともに、端末間での通信品質を確保でき、良好な品質の通信状態を維持することができ、また従時間制課金を開始することができる。
【００６４】
また、本発明によれば、端末は優先度を通信開始時に標準値に設定し、所定の時間経過までの間に通信品質が劣化した場合、優先度を下げ、劣化が見られない場合、優先度を上げ、優先度を下げた値に設定してから所定の時間経過後標準値に戻し、エッジノードは受信パケットのＴＯＳフィールドの優先度を監視し、優先度が最も高い値になった場合、その旨を信号制御サーバに通知し、この最も高い値の優先度を維持し、信号制御サーバはエッジノードからの通知を受けて課金を開始するので、アプリケーション毎、セッション毎や顧客毎の優先サービスを行うことができるとともに、ユーザエンドポイントが別のポイントに移動しても端末間でＴＯＳ制御することによりそのポイントのトラヒック状況に見合ったより良い通信品質の安定的提供が可能であり、また端末主体のＴＯＳ制御により通信網の負担を軽減でき、更に端末間での通信品質を確保でき、良好な品質の通信状態を維持することができ、従時間制課金を開始することができる。
【００６５】
更に、本発明によれば、端末からの送信パケットのＴＯＳフィールドに通信開始時に標準値を設定し、所定の時間経過までの間に通信品質が劣化した場合、優先度を下げ、劣化が見られない場合、優先度を上げ、優先度を下げた値に設定してから所定の時間経過後、標準値に戻し、送信パケットのＴＯＳフィールドの優先度を監視し、優先度が最も高い値になった場合、この最も高い値の優先度を維持し、課金を開始するように指示するので、アプリケーション毎、セッション毎や顧客毎の優先品質付加サービスを行うことができるとともに、端末間での通信品質を確保でき、良好な品質の通信状態を維持することができ、また従時間制課金を開始することができる。
【図面の簡単な説明】
【図１】本発明の一実施形態に係る通信品質制御方法を実施するシステム構成図である。
【図２】図１に示す実施形態において優先品質付加サービスを提供する制御におけるＴＯＳを用いた付加サービスの課金方法の処理手順を示すフローチャートである。
【図３】図１に示す実施形態において通信経過時間とＴＯＳフィールドの値の付与方法を説明するための図である。
【図４】図１に示す実施形態においてパケット転送処理の優先度であるＴＯＳフィールドの値の設定処理手順を示すフローチャートである。
【符号の説明】
３　パケット通信網
１１，１２　端末
２１，２２　エッジノード
２５　コアノード
４１，４２　信号制御サーバ
５１，５２　通信制御装置
【図１】
2004064569.tif 000003
【図２】
2004064569.tif 000004
【図３】
2004064569.tif 000005
【図４】
2004064569.tif 000006